(57)【要約】  【課題】  宿泊施設の使用の予約等の取引対象に関する情報を速やかに収集することが可能な取引情報収集方法、取引情報収集システム、取引情報収集装置及びコンピュータプログラムを提供する。  【解決手段】  インターネット等の通信網１００に接続するサーバコンピュータ等のコンピュータを用いた取引情報収集装置１０にて、予め収集すべき取引情報に関する収集条件を受け付けて記録しておき、所定の時間間隔等の収集開始条件を満足した場合に、記録しておいた収集条件に基づいて取引情報公開装置２０にて公開されているウェブページにアクセスして取引情報を収集して記録しておき、記録しておいた取引情報の送信を要求する取引情報要求を予約希望者又は宿泊施設が管理する取引情報要求装置３０から受け付けた場合に、記録している取引情報を送信する。【選択図】      図１
2005078225.tif 000002
【特許請求の範囲】
【請求項１】
取引対象に関する取引情報を公開する取引情報公開装置と、該取引情報公開装置にて公開されている取引情報を収集する取引情報収集装置と、該取引情報収集装置に取引情報の送信を要求する取引情報要求装置とを通信網を介して接続し、公開されている取引情報を収集する取引情報収集方法において、
前記取引情報要求装置は、
収集を要求する取引情報の条件を示す収集条件情報を、前記取引情報収集装置へ送信し、
前記取引情報収集装置は、
予め設定されている収集開始条件を満足した場合に、
受信した収集条件情報に基づいて、前記取引情報公開装置から取引情報を収集し、
前記取引情報要求装置は、更に、
取引情報の送信を要求する取引情報送信要求を、前記取引情報収集装置へ送信し、
前記取引情報収集装置は、更に、
受信した取引情報送信要求に対して、収集した取引情報を前記取引情報要求装置へ送信する
ことを特徴とする取引情報収集方法。
【請求項２】
前記取引対象は、宿泊施設の使用権利であり、
前記取引情報要求装置は、一の宿泊施設の取引条件の決定を支援する装置であり、
前記取引情報公開装置は、他の宿泊施設の使用権利の販売を支援する装置である
ことを特徴とする請求項１に記載の取引情報収集方法。
【請求項３】
前記取引対象は、宿泊施設の使用権利であり、
前記取引情報要求装置は、宿泊施設の使用権利の購入を支援する装置であり、
前記取引情報公開装置は、宿泊施設の使用権利の販売を支援する装置であり、
前記取引情報収集装置は、宿泊施設の使用権利の取引の仲介を支援する装置である
ことを特徴とする請求項１に記載の取引情報収集方法。
【請求項４】
取引対象に関する取引情報を公開する取引情報公開装置から、公開されている取引情報を収集する取引情報収集装置と、該取引情報収集装置に取引情報の送信を要求する取引情報要求装置とを備え、前記取引情報収集装置及び取引情報要求装置を通信網にて接続する取引情報収集システムにおいて、
前記取引情報要求装置は、
収集を要求する取引情報の条件を示す収集条件情報を、前記取引情報収集装置へ送信する手段を備え、
前記取引情報収集装置は、
予め設定されている収集開始条件を満足した場合に、
受信した収集条件情報に基づいて、前記取引情報公開装置から取引情報を収集する手段を備え、
前記取引情報要求装置は、更に、
取引情報の送信を要求する取引情報送信要求を、前記取引情報収集装置へ送信する手段を備え、
前記取引情報収集装置は、更に、
受信した取引情報送信要求に対して、収集した取引情報を前記取引情報要求装置へ送信する手段を備える
ことを特徴とする取引情報収集システム。
【請求項５】
取引対象に関する取引情報を公開する取引情報公開装置から、公開されている取引情報を収集する取引情報収集装置と、該取引情報収集装置に取引情報の送信を要求する取引情報要求装置とを備え、前記取引情報収集装置及び取引情報要求装置を通信網にて接続する取引情報収集システムにおいて、
前記取引情報要求装置は、
収集を要求する取引情報の条件を示す収集条件情報を、前記取引情報収集装置へ送信する手段を備え、
前記取引情報収集装置は、
受信した収集条件情報が示す取引情報の条件を、前記取引情報要求装置に対応付けて記録する収集条件データベースと、
前記取引情報公開装置から取引情報を収集するために必要な収集用情報を、前記取引情報公開装置に対応付けて記録する取引情報公開装置データベースと、
収集した取引情報を記録する取引情報データベースと、
予め設定されている収集開始条件を満足した場合に、
収集条件データベースから、収集条件情報を抽出する手段と、
抽出した収集条件情報に基づいて、取引情報の収集先となる前記取引情報公開装置を決定する手段と、
決定した前記取引情報公開装置に対応付けられている収集用情報を、取引情報公開装置データベースから抽出する手段と、
抽出した収集用情報に基づいて、前記取引情報公開装置から取引情報を収集する手段と、
収集した取引情報を、取引情報データベースに記録する手段と
を備え、
前記取引情報要求装置は、更に、
取引情報の送信を要求する取引情報送信要求を、前記取引情報収集装置へ送信する手段を備え、
前記取引情報収集装置は、更に、
受信した取引情報送信要求に対して、該取引情報送信要求の送信元の前記取引情報要求装置に対応付けられている取引情報の条件を、収集条件データベースから抽出する手段と、
抽出した取引情報の条件に基づいて収集された取引情報を、取引情報データベースから抽出する手段と、
抽出した取引情報を前記取引情報要求装置へ送信する手段と
を備える
ことを特徴とする取引情報収集システム。
【請求項６】
取引対象に関する取引情報を公開する取引情報公開装置及び取引情報の送信を要求する取引情報要求装置と通信網を介して接続し、前記取引情報公開装置により公開されている取引情報を収集し、収集した取引情報を前記取引情報要求装置へ送信する取引情報収集装置において、
前記取引情報要求装置から、収集を要求する取引情報の条件を示す収集条件情報を受信する手段と、
予め設定されている収集開始条件を満足した場合に、
受信した収集条件情報に基づいて、前記取引情報公開装置から取引情報を収集する手段と、
前記取引情報要求装置から、取引情報の送信を要求する取引情報送信要求を受信する手段と、
受信した取引情報送信要求に対して、収集した取引情報を前記取引情報要求装置へ送信する手段と
を備えることを特徴とする取引情報収集装置。
【請求項７】
取引対象に関する取引情報を公開する取引情報公開装置及び取引情報の送信を要求する取引情報要求装置と通信網を介して接続するコンピュータに、前記取引情報公開装置により公開されている取引情報を収集させ、収集した取引情報を前記取引情報要求装置へ送信させるコンピュータプログラムにおいて、
コンピュータに、前記取引情報要求装置から、収集を要求する取引情報の条件を示す収集条件情報を受信した場合に、受信した収集条件情報を記録させる手順と、
予め設定されている収集開始条件を満足したときに、
コンピュータに、記録している収集条件情報に基づいて、前記取引情報公開装置から取引情報を収集させる手順と、
コンピュータに、前記取引情報要求装置から送信される、取引情報の送信を要求する取引情報送信要求に対して、収集した取引情報を前記取引情報要求装置へ送信させる手順と
を実行させることを特徴とするコンピュータプログラム。
【発明の詳細な説明】
【技術分野】
【０００１】
本発明は、インターネット等の通信網にて接続される、宿泊施設の使用権利等の取引対象に関する取引情報を公開するウェブサーバコンピュータを用いた取引情報公開装置と、該取引情報公開装置にて公開されている取引情報を収集するサーバコンピュータを用いた取引情報収集装置と、該取引情報収集装置に取引情報の送信を要求するパーソナルコンピュータ等の取引情報要求装置とを用い、公開されている取引情報を収集する取引情報収集方法、その方法を適用した取引情報収集システム、その装置にて用いられる取引情報収集装置、及びその装置を実現するためのコンピュータプログラムに関し、特に宿泊施設の使用権利の取引の仲介及び取引条件の決定等の用途に適した取引情報収集方法、取引情報収集システム、取引情報収集装置及びコンピュータプログラムに関する。
【背景技術】
【０００２】
ホテル等の宿泊施設の使用を予約するサービスを、インターネット等の通信網を介して提供するウェブページが普及している（例えば、非特許文献１参照。）。通信網を介して宿泊施設の使用の予約等のサービスが普及するに伴い、宿泊施設の予約を希望する予約希望者は多くのウェブページを閲覧して、夫々のウェブページにて公開されている取引条件を比較吟味した上で、より有利な条件での取引を行うことが可能なウェブページにて宿泊施設の予約を行う様になってきている。また宿泊施設側も宿泊客の確保及び同業他社の動向を把握すべくウェブページから宿泊価格等の宿泊条件の収集を行う。
【非特許文献１】インターネット＜ＵＲＬ：http://www.bestrsv.com/＞、［平成１５年８月２８日検索］
【発明の開示】
【発明が解決しようとする課題】
【０００３】
しかしながら宿泊施設の使用を予約するサービスを提供するウェブページの増加に伴い、数多くの情報を収集することは容易ではなくなってきているという問題がある。具体的には夫々のウェブページに対するアクセスに要する作業負荷及び時間的負担の増加並びに確認すべきウェブページのＵＲＬの管理等の人為的不可の増大である。
【０００４】
本発明は斯かる事情に鑑みてなされたものであり、インターネット等の通信網に接続するサーバコンピュータ等のコンピュータを用いた取引情報収集装置にて、予め宿泊施設に関する、収集すべき取引情報に関する収集条件を受け付けて記録しておき、所定の時間間隔等の収集開始条件を満足した場合に、記録しておいた収集条件に基づいてウェブページにアクセスして取引情報を収集して記録しておき、記録しておいた取引情報の送信を要求する取引情報要求を予約希望者又は宿泊施設から受け付けた場合に、取引情報を送信することにより、予約希望者又は宿泊施設は、宿泊条件の収集を容易に行うことが可能であり、しかも取引情報収集装置が自動的に収集し蓄積してある取引情報を送信するので、予約希望者又は宿泊施設は、取引情報要求を送信後、速やかに取引情報を入手することが可能な取引情報収集方法、その方法を適用した取引情報収集システム、その装置にて用いられる取引情報収集装置、及びその装置を実現するためのコンピュータプログラムの提供を目的とする。
【課題を解決するための手段】
【０００５】
第１発明に係る取引情報収集方法は、取引対象に関する取引情報を公開する取引情報公開装置と、該取引情報公開装置にて公開されている取引情報を収集する取引情報収集装置と、該取引情報収集装置に取引情報の送信を要求する取引情報要求装置とを通信網を介して接続し、公開されている取引情報を収集する取引情報収集方法において、前記取引情報要求装置は、収集を要求する取引情報の条件を示す収集条件情報を、前記取引情報収集装置へ送信し、前記取引情報収集装置は、予め設定されている収集開始条件を満足した場合に、受信した収集条件情報に基づいて、前記取引情報公開装置から取引情報を収集し、前記取引情報要求装置は、更に、取引情報の送信を要求する取引情報送信要求を、前記取引情報収集装置へ送信し、前記取引情報収集装置は、更に、受信した取引情報送信要求に対して、収集した取引情報を前記取引情報要求装置へ送信することを特徴とする。
【０００６】
本発明では、取引情報収集装置において、所定の時間間隔等の収集開始条件を満足した場合に、記録している収集条件情報に基づいて多くの取引情報を収集して記録しておき、取引情報送信要求に対して記録しておいた取引情報を送信することにより、取引情報要求装置を管理する者は、収集条件に応じた取引情報を容易に収集することが可能であり、しかも収集した取引情報は取引情報要求装置に記録されているので、取引情報収集装置では、取引情報要求装置から取引情報送信要求を受信した場合に、予め記録している取引情報を、速やかに取引情報要求装置へ送信することが可能である。
【０００７】
第２発明に係る取引情報収集方法は、第１発明において、前記取引対象は、宿泊施設の使用権利であり、前記取引情報要求装置は、一の宿泊施設の取引条件の決定を支援する装置であり、前記取引情報公開装置は、他の宿泊施設の使用権利の販売を支援する装置であることを特徴とする。
【０００８】
本発明では、ホテル等の宿泊施設が、宿泊施設の取引条件の決定を支援する装置として取引情報要求装置を使用して、他の宿泊施設の取引条件を公開しているウェブサーバコンピュータを用いた取引情報公開装置から、取引条件を収集することにより、取引情報要求装置を管理している宿泊施設は、多数の同業他社の取引条件を容易に収集することができるので、宿泊価格等の取引条件の決定を行い、顧客の確保を優位に進めることを支援することが可能である。
【０００９】
第３発明に係る取引情報収集方法は、第１発明において、前記取引対象は、宿泊施設の使用権利であり、前記取引情報要求装置は、宿泊施設の使用権利の購入を支援する装置であり、前記取引情報公開装置は、宿泊施設の使用権利の販売を支援する装置であり、前記取引情報収集装置は、宿泊施設の使用権利の取引の仲介を支援する装置であることを特徴とする。
【００１０】
本発明では、ホテル等の宿泊施設の使用権利の取引の仲介を支援するサービスを提供するウェブサーバコンピュータとして取引情報収集装置を用いることにより、宿泊施設の予約を希望する予約希望者は、ウェブサーバコンピュータを用いた数多くの取引情報収集装置が公開しているウェブページにて公開された取引情報を容易に、かつ速やかに収集することが可能である。
【００１１】
第４発明に係る取引情報収集システムは、取引対象に関する取引情報を公開する取引情報公開装置から、公開されている取引情報を収集する取引情報収集装置と、該取引情報収集装置に取引情報の送信を要求する取引情報要求装置とを備え、前記取引情報収集装置及び取引情報要求装置を通信網にて接続する取引情報収集システムにおいて、前記取引情報要求装置は、収集を要求する取引情報の条件を示す収集条件情報を、前記取引情報収集装置へ送信する手段を備え、前記取引情報収集装置は、予め設定されている収集開始条件を満足した場合に、受信した収集条件情報に基づいて、前記取引情報公開装置から取引情報を収集する手段を備え、前記取引情報要求装置は、更に、取引情報の送信を要求する取引情報送信要求を、前記取引情報収集装置へ送信する手段を備え、前記取引情報収集装置は、更に、受信した取引情報送信要求に対して、収集した取引情報を前記取引情報要求装置へ送信する手段を備えることを特徴とする。
【００１２】
本発明では、取引情報収集装置において、所定の時間間隔等の収集開始条件を満足した場合に、記録している収集条件情報に基づいて多くの取引情報を収集して記録しておき、取引情報送信要求に対して記録しておいた取引情報を送信することにより、取引情報要求装置を管理する者は、収集条件に応じた取引情報を容易に収集することが可能であり、しかも収集した取引情報は取引情報要求装置に記録されているので、取引情報収集装置では、取引情報要求装置から取引情報送信要求を受信した場合に、予め記録している取引情報を、速やかに取引情報要求装置へ送信することが可能である。
【００１３】
第５発明に係る取引情報収集システムは、取引対象に関する取引情報を公開する取引情報公開装置から、公開されている取引情報を収集する取引情報収集装置と、該取引情報収集装置に取引情報の送信を要求する取引情報要求装置とを備え、前記取引情報収集装置及び取引情報要求装置を通信網にて接続する取引情報収集システムにおいて、前記取引情報要求装置は、収集を要求する取引情報の条件を示す収集条件情報を、前記取引情報収集装置へ送信する手段を備え、前記取引情報収集装置は、受信した収集条件情報が示す取引情報の条件を、前記取引情報要求装置に対応付けて記録する収集条件データベースと、前記取引情報公開装置から取引情報を収集するために必要な収集用情報を、前記取引情報公開装置に対応付けて記録する取引情報公開装置データベースと、収集した取引情報を記録する取引情報データベースと、予め設定されている収集開始条件を満足した場合に、収集条件データベースから、収集条件情報を抽出する手段と、抽出した収集条件情報に基づいて、取引情報の収集先となる前記取引情報公開装置を決定する手段と、決定した前記取引情報公開装置に対応付けられている収集用情報を、取引情報公開装置データベースから抽出する手段と、抽出した収集用情報に基づいて、前記取引情報公開装置から取引情報を収集する手段と、収集した取引情報を、取引情報データベースに記録する手段とを備え、前記取引情報要求装置は、更に、取引情報の送信を要求する取引情報送信要求を、前記取引情報収集装置へ送信する手段を備え、前記取引情報収集装置は、更に、受信した取引情報送信要求に対して、該取引情報送信要求の送信元の前記取引情報要求装置に対応付けられている取引情報の条件を、収集条件データベースから抽出する手段と、抽出した取引情報の条件に基づいて収集された取引情報を、取引情報データベースから抽出する手段と、抽出した取引情報を前記取引情報要求装置へ送信する手段とを備えることを特徴とする。
【００１４】
本発明では、取引情報収集装置において、複数の取引情報要求装置から受信した収集条件情報を収集条件データベースに記録しておき、所定の時間間隔等の収集開始条件を満足した場合に、収集条件データベースに記録している収集条件情報に基づいて多くの取引情報を収集して取引情報データベースに記録おき、取引情報送信要求に対して取引情報データベースに記録しておいた取引情報を送信することにより、取引情報要求装置を管理する者は、収集条件に応じた取引情報を容易に収集することが可能であり、しかも収集した取引情報は取引情報データベースに記録されているので、取引情報収集装置では、取引情報要求装置から取引情報送信要求を受信した場合に、予め記録している取引情報を、速やかに取引情報要求装置へ送信することが可能であり、更には複数の取引情報要求装置から受信した収集条件情報に基づいて取引情報を収集するため、異なる取引情報要求装置から受信した同じ収集条件に対して一度の収集にて取引情報を収集することができるので、処理負荷及び通信負荷を軽減することが可能である。
【００１５】
第６発明に係る取引情報収集装置は、取引対象に関する取引情報を公開する取引情報公開装置及び取引情報の送信を要求する取引情報要求装置と通信網を介して接続し、前記取引情報公開装置により公開されている取引情報を収集し、収集した取引情報を前記取引情報要求装置へ送信する取引情報収集装置において、前記取引情報要求装置から、収集を要求する取引情報の条件を示す収集条件情報を受信する手段と、予め設定されている収集開始条件を満足した場合に、受信した収集条件情報に基づいて、前記取引情報公開装置から取引情報を収集する手段と、前記取引情報要求装置から、取引情報の送信を要求する取引情報送信要求を受信する手段と、受信した取引情報送信要求に対して、収集した取引情報を前記取引情報要求装置へ送信する手段とを備えることを特徴とする。
【００１６】
本発明では、所定の時間間隔等の収集開始条件を満足した場合に、記録している収集条件情報に基づいて多くの取引情報を収集して記録しておき、取引情報送信要求に対して記録しておいた取引情報を送信することにより、取引情報要求装置を管理する者は、収集条件に応じた取引情報を容易に収集することが可能であり、しかも収集した取引情報は取引情報要求装置に記録されているので、取引情報要求装置から取引情報送信要求を受信した場合に、予め記録している取引情報を、速やかに取引情報要求装置へ送信することが可能である。
【００１７】
第７発明に係るコンピュータプログラムは、取引対象に関する取引情報を公開する取引情報公開装置及び取引情報の送信を要求する取引情報要求装置と通信網を介して接続するコンピュータに、前記取引情報公開装置により公開されている取引情報を収集させ、収集した取引情報を前記取引情報要求装置へ送信させるコンピュータプログラムにおいて、コンピュータに、前記取引情報要求装置から、収集を要求する取引情報の条件を示す収集条件情報を受信した場合に、受信した収集条件情報を記録させる手順と、予め設定されている収集開始条件を満足したときに、コンピュータに、記録している収集条件情報に基づいて、前記取引情報公開装置から取引情報を収集させる手順と、コンピュータに、前記取引情報要求装置から送信される、取引情報の送信を要求する取引情報送信要求に対して、収集した取引情報を前記取引情報要求装置へ送信させる手順とを実行させることを特徴とする。
【００１８】
本発明では、サーバコンピュータ等のコンピュータにて実行することにより、コンピュータが取引情報収集装置として動作するので、所定の時間間隔等の収集開始条件を満足した場合に、記録している収集条件情報に基づいて多くの取引情報を収集して記録しておき、取引情報送信要求に対して記録しておいた取引情報を送信することにより、取引情報要求装置を管理する者は、収集条件に応じた取引情報を容易に収集することが可能であり、しかも収集した取引情報は取引情報要求装置に記録されているので、取引情報要求装置から取引情報送信要求を受信した場合に、予め記録している取引情報を、速やかに取引情報要求装置へ送信することが可能である。
【発明の効果】
【００１９】
本発明に係る取引情報収集方法、取引情報収集システム、取引情報収集装置及びコンピュータプログラムでは、インターネット等の通信網に接続するウェブサーバコンピュータを用いた取引情報収集装置において、パーソナルコンピュータ等の複数の取引情報要求装置から、ウェブページとして公開されている取引対象に関する取引情報を収集する条件を示す収集条件情報を受信して記録しておき、所定の時間間隔等の収集開始条件を満足した場合に、記録している収集条件情報に基づいて、取引情報を公開している取引情報公開装置にアクセスして、取引情報を収集して記録し、取引情報要求装置から取引情報の送信を要求する取引情報送信要求を受信した場合に、記録している取引情報を取引情報要求装置へ送信する。
【００２０】
この構成により、取引情報要求装置を管理する者は、収集条件に応じた複数のウェブページから公開されている取引情報を容易に収集することが可能であり、しかも収集した取引情報は取引情報収集装置に記録されているので、取引情報収集装置では、取引情報要求装置から取引情報送信要求を受信した場合に、予め記録している取引情報を、速やかに取引情報要求装置へ送信することが可能であり、更には複数の取引情報要求装置から受信した収集条件情報に基づいて取引情報を収集するため、異なる取引情報要求装置から受信した同じ収集条件に対して一度の収集にて取引情報を収集することができるので、処理負荷及び通信負荷を軽減することが可能である等、優れた効果を奏する。
また本発明では、ホテル等の宿泊施設の使用権利を取引対象とし、一の宿泊施設にて管理される、一の宿泊施設の取引条件の決定を支援するパーソナルコンピュータ等の装置を取引情報要求装置として用い、他の宿泊施設の使用権利の販売を支援するウェブページを公開しているウェブサーバコンピュータを取引情報公開装置とすることにより、取引情報要求装置を管理している一の宿泊施設は、多数の同業他社の取引条件を容易に収集することが可能であるので、収集した同業他社の取引条件を比較検討した上で、宿泊価格等の取引条件の決定を行い、顧客の確保を優位に進めることを支援することが可能であり、しかも取引情報収集装置は、取引情報を収集するサービスを提供するＡＳＰ(Application Service Provider)として新たな産業を発展させることが可能である等、優れた効果を奏する。
【００２１】
さらに本発明では、ホテル等の宿泊施設の使用権利を取引対象とし、宿泊を希望する宿泊希望者が管理し、宿泊施設の使用権利の購入、即ち宿泊の予約を支援する装置としてパーソナルコンピュータ等の取引情報要求装置を用い、宿泊施設の使用権利の販売を支援するウェブページを公開しているウェブサーバコンピュータを取引情報公開装置とし、宿泊施設の使用権利の取引を仲介するサービスをウェブページとして提供するＡＳＰとして取引情報収集装置を用いることにより、予約希望者は数多くのウェブページにて公開されている取引情報を容易に、かつ速やかに収集することが可能である等、優れた効果を奏する。
【発明を実施するための最良の形態】
【００２２】
以下、本発明をその実施の形態を示す図面に基づいて詳述する。
実施の形態１．
図１は本発明の実施の形態１における取引情報収集システムを概念的に示す説明図である。図１中１０は、サーバコンピュータを用いた本発明の取引情報収集装置であり、取引情報収集装置１０は、インターネット等の通信網１００に接続し、取引対象に関する取引情報を収集するサービスを提供するＡＳＰにて管理されている。なお本発明の取引対象とは、宿泊施設の使用権利を示すものとして以降の説明を行う。
【００２３】
通信網１００には、取引対象に関する取引情報をウェブページとして公開することにより、宿泊施設の使用権利の販売を支援するウェブサーバコンピュータを用いた複数の取引情報公開装置２０，２０，…が接続されている。なお取引情報公開装置２０は、宿泊施設及び旅行代理店等の旅行関連業者により管理されており、単独の宿泊施設に管理されている場合には、当該宿泊施設に関する取引情報を公開しており、旅行代理店により管理されている場合には、複数の宿泊施設に関する取引情報を公開している。また旅行代理店により複数の宿泊施設に関する取引情報を公開する場合には、地域及び宿泊価格等の条件を入力することにより、入力された条件に該当する宿泊施設の取引情報を、予め準備しているデータベースから検索した上でウェブページとして表示する様にしてあってもよい。
【００２４】
さらに通信網１００には、ホテル等の宿泊施設にて管理され、宿泊施設の取引条件の決定を支援するパーソナルコンピュータ等のコンピュータを用いた取引情報要求装置３０，３０，…が接続されており、取引情報要求装置３０を管理する一の宿泊施設は、取引情報収集装置１０の管理者に対し、取引情報公開装置２０，２０，…にて管理されるウェブページにて販売を支援されている他の宿泊施設の使用権利に関する取引情報の収集を依頼する契約を締結している。なお上述した様にここでいう取引対象とは、ホテルの宿泊室等の宿泊施設の使用、即ち宿泊の権利であり、取引とは、宿泊施設の使用の予約である。
【００２５】
図２は本発明の実施の形態１における取引情報収集システムの構成を示すブロック図である。取引情報収集装置１０は、本発明のコンピュータプログラム２００及びデータ等の各種情報を記録したＣＤ−ＲＯＭ等の記録媒体３００から各種情報を読み取るＣＤ−ＲＯＭドライブ等の補助記憶手段１２、補助記憶手段１２により読み取った各種情報を記録するハードディスク等の記録手段１３を備えている。
【００２６】
そして記録手段１３から本発明のコンピュータプログラム２００及びデータ等の各種情報を読み取り、情報を一時的に記憶するＲＡＭ１４に記憶させてＣＰＵ１１により実行することで、サーバコンピュータは、本発明の取引情報収集装置１０として動作する。さらに取引情報収集装置１０は、通信網１００に接続する通信手段１７を備えている。
【００２７】
また記録手段１３の記録領域の一部は、収集する取引情報の条件を、取引情報要求装置３０を示す情報に対応付けて記録する収集条件データベース（収集条件ＤＢ）１０ａ、取引情報公開装置２０から取引情報を収集するために必要な収集用情報を、取引情報公開装置２０に対応付けて記録する取引情報公開装置データベース（取引情報公開装置ＤＢ）１０ｂ、及び収集した取引情報を記録する取引情報データベース（取引情報ＤＢ）１０ｃ等の各種データベースとして用いられている。
【００２８】
なお記録手段１３の記録領域の一部を各種データベースとして用いるのではなく、記録手段を備える他の装置を取引情報収集装置１０に接続し、各種データベースとして用いるようにしても良い。
【００２９】
取引情報公開装置２０は、ＣＰＵ２１、記録手段２２、ＲＡＭ２３、及び通信手段２４を備えており、記録手段２２には通信網１００を介して公開されるＨＴＭＬ(Hyper Text Markup Language)等のページ記述言語にて記述されたウェブページ等の様々な情報が記録されている。
【００３０】
取引情報要求装置３０は、ＣＰＵ３１、記録手段３２、ＲＡＭ３３、入力手段３４、出力手段３５及び通信手段３６を備えており、記録手段３２には、ページ記述言語にて記述されたウェブページを閲覧するための閲覧用ソフトウェアプログラム（以降ブラウザという）及び電子メール用ソフトウェアプログラム等の各種ソフトウェアプログラムが記録されている。
【００３１】
図３は本発明の実施の形態１における取引情報収集装置１０が備える収集条件データベース１０ａの記録内容を概念的に示す説明図である。収集条件データベース１０ａは、取引条件の収集を要求する取引情報要求装置３０を示す取引情報要求装置情報と、収集する取引情報の条件を示す収集条件情報とを対応付けて記録するデータベースである。
【００３２】
取引情報要求装置情報としては、取引情報要求装置３０又は取引情報要求装置３０の管理者を特定するＩＤ、管理者の氏名又は名称、住所、電話番号、業種又は職種、及び電子メールアドレス等の情報を例示列挙することができる。収集条件情報としては、日付、地域（住所）、最寄り駅、部屋数、シングル及び和室等の部屋属性、宿泊価格、並びに朝食サービスの有無等の取引対象に関する情報の他、収集先となるウェブページのＵＲＬ及び取引情報公開装置のＩＰアドレス等の収集先に関する情報も用いられる。
【００３３】
図４は本発明の実施の形態１における取引情報収集装置１０が備える取引情報公開装置データベース１０ｂの記録内容を概念的に示す説明図である。取引情報公開装置データベース１０ｂは、取引情報公開装置２０を特定する特定情報と、取引情報を収集するために必要な収集用情報とを対応付けて記録するデータベースである。
【００３４】
特定情報としては、通信網１００上の取引情報公開装置２０の位置を示すＩＰアドレス、及び取引情報を公開しているウェブページにアクセスするための記録位置を示すＵＲＬ(Universal Resource Locator)等の情報を例示列挙することができる。収集用情報とは、取引情報公開装置２０にて公開されているウェブページから取引情報を収集するための情報であり、ＵＲＬ、記述言語及びＣＧＩ(Common Gateway Interface)等のウェブページの形式、取引情報が示されている位置、並びにＩＤ及び連絡先等の取引情報収集時に入力を要求される情報等の情報を例示列挙することができる。なお取引情報公開装置データベース１０ｂとしては、取引対象毎のデータをレコードとして記録する形態であっても良い。この場合、レコードに含まれるデータの項目としては、例えば宿泊施設の名称と、宿泊施設の名称に対応付けて記録される、地域、最寄り駅、総部屋数、部屋属性、電話番号等の連絡先、及び当該宿泊施設に関する情報を公開している各取引情報公開装置２０のＵＲＬ等の情報とを例示列挙することができる。
【００３５】
図５は本発明の実施の形態１における取引情報収集装置１０が備える取引情報データベース１０ｃの記録内容を概念的に示す説明図である。取引情報データベース１０ｃは、収集条件情報に基づいて収集した取引情報を記録するデータベースである。
【００３６】
取引情報データベース１０ｃには、取引対象を特定する情報、例えば宿泊施設の名称に対応付けて、宿泊施設の属性、日付、地域（住所）、最寄り駅、総部屋数、総部屋数の中で予約可能な部屋数を示す残部屋数、部屋属性、宿泊価格（通常販売価格及び割引価格）、朝食サービスの有無、並びに特典の有無及びその内容等の情報が記録されている。
【００３７】
次に本発明の取引情報収集システムが備える各種装置の処理について説明する。図６は本発明の実施の形態１における取引情報収集システムが備える取引情報収集装置１０及び取引情報要求装置３０の収集条件登録処理を示すフローチャートである。取引情報要求装置３０を操作する管理者は、取引情報要求装置３０を操作して通信網１００に接続させ、取引情報収集装置１０にアクセスさせる。そして取引情報収集装置１０に取引情報を収集させるべく、取引情報要求装置３０に、収集を要求する取引情報の条件を示す収集条件情報及び取引情報要求装置３０を示す取引情報要求装置情報を入力する。
【００３８】
なお取引情報収集装置１０をウェブサーバコンピュータにて構成し、収集条件情報を入力するための入力用のウェブページを準備し、管理者は収集条件情報を入力するためのウェブページにアクセスしてブラウザ上に当該ウェブページを表示させ、ウェブページとして示される入力欄に収集条件情報を入力するように構成するようにすることで汎用性及び利便性が向上する。また当該ウェブページを表示させる際にＩＤ及びパスワード等の取引情報要求装置情報の入力を要求して照合処理を行うようにしても良く、またその場合、収集条件情報と共に入力すべき取引情報要求装置情報の入力を省略することもできる。
【００３９】
取引情報要求装置３０は、ＣＰＵ３１の制御により、入力手段３４から収集条件情報及び取引情報要求装置情報の入力を受け付け（Ｓ１０１）、受け付けた収集条件情報及び取引情報要求装置情報を通信手段３６から通信網１００を介して取引情報収集装置１０へ送信する（Ｓ１０２）。
【００４０】
取引情報収集装置１０では、ＲＡＭ１４に記憶させたコンピュータプログラム２００を実行するＣＰＵ１１の制御により、通信手段１７にて収集条件情報及び取引情報要求装置情報を受信し（Ｓ１０３）、受信した収集条件情報及び取引情報要求装置情報を対応付けて収集条件データベース１０ａに記録する（Ｓ１０４）。なお取引情報要求装置情報として、ＩＤ、氏名又は名称、住所、電話番号、業種、及び電子メールアドレス等の情報を予め登録しておくことにより、ステップＳ１０１にて受け付ける取引情報要求装置情報をＩＤのみとすることも可能である。
【００４１】
図７は本発明の実施の形態１における取引情報収集システムが備える取引情報収集装置１０の取引情報収集処理を示すフローチャートである。取引情報収集装置１０では、ＲＡＭ１４に記憶させたコンピュータプログラム２００を実行するＣＰＵ１１の制御により、前回の処理から所定時間経過等の予め設定されている所定の収集条件を満足した場合に、収集条件データベース１０ａから、記録されている収集条件情報を抽出し（Ｓ２０１）、抽出した収集条件情報に基づいて、取引情報の収集先となる取引情報公開装置２０を決定する（Ｓ２０２）。
【００４２】
ステップＳ２０２においては、ステップＳ２０１での収集条件情報の抽出処理にて抽出した夫々の収集条件の中で重複する範囲を示す収集条件についてはひとつに集約する処理を行った上で、取引情報の収集先となる取引情報公開装置２０の決定、即ちアクセス先となるウェブページを決定する処理がなされる。また様々なウェブページから取引情報を収集するため決定されるウェブページは、通常複数であり、決定に際しては必要に応じて取引情報公開装置データベース１０ｂに記録されている内容が参照される。
【００４３】
取引情報収集装置１０では、ＲＡＭ１４に記憶させたコンピュータプログラム２００を実行するＣＰＵ１１の制御により、決定した取引情報公開装置２０に対応付けられている収集用情報を、取引情報公開装置データベース１０ｂから抽出し（Ｓ２０３）、抽出した収集用情報に基づいて、取引情報公開装置２０から取引情報を収集し（Ｓ２０４）、収集した取引情報を、取引情報データベース１０ｃに記録する（Ｓ２０５）。
【００４４】
ステップＳ２０４における取引情報を収集する処理では、ＦＴＰ(File Transfer Protocol)及びＨＴＴＰ(Hypertext Transfer Protocol) 等の汎用的に用いられている通信規約が用いられる。例えば通信規約として、ＨＴＴＰを用いる場合、取引情報収集装置１０は、ＵＲＬ及びＩＰアドレスから特定される取引情報公開装置２０にアクセスし、即ちＨＴＭＬ言語等のページ記述言語で記載されたウェブページを要求するリクエストメッセージを送信し、取引情報公開装置２０では、受信したリクエストメッセージに対するウェブページを取引情報収集装置１０へ送信する。なお便宜上ウェブページを送信すると記載しているが、詳細には取引情報公開装置２０から取引情報収集装置１０へウェブページを表示させるＨＴＭＬソースコードを送信する処理であり、取引情報収集装置１０では、受信したＨＴＭＬソースコード及び該ＨＴＭＬソースコードに基づいて取得した画像等のファイルをブラウザにて読み込み、ウェブページとして表示する。
【００４５】
また収集条件として取引対象である宿泊施設の検索をするウェブページのＵＲＬ及び検索条件を指定している場合には、ＨＴＴＰ等の通信規約に基づき、指定されたＵＲＬにて示されるウェブページにアクセスして検索条件を自動的に入力し得られた検索結果を取引情報として収集する処理がなされる。具体例としては、日付及び地域を検索条件とし、得られた検索結果の中で地域内の宿泊施設の属性毎の宿泊価格及び残部屋数を取引情報として収集する形態と、宿泊施設の名称及び期間を検索条件とし、得られた検索結果の中で当該宿泊施設の期間内における属性毎の日付別の宿泊価格及び残部屋数を取引情報として収集する形態と、宿泊施設の名称、属性及び日付を検索条件とし、当該属性の宿泊価格及び残部屋数を取引情報として収集する形態と等の例を例示列挙することができる。
【００４６】
なおステップＳ２０４において、収集用情報にウェブページの形式及び取引情報が示されている位置等の収集すべき取引情報の記載位置を詳細に示す情報が含まれていない場合、ＵＲＬ及び記述言語等の収集用情報に基づいて取引情報の記載位置を判断することも可能である。具体的には、ウェブページを記載するＨＴＭＬソースコードは、タグと呼ばれるウェブページの形式に依存する特有の書式を用いたテキスト情報により記載されているので、特定のタグの位置関係及び特定のパターンと照合することで収集すべき取引情報を特定することが可能である。例えば以下の様なテキスト情報から宿泊施設名称として「ホテルベストリザーブ」を特定することができる。
【００４７】
<td colspan="2"><a href="/bestreserve/"target="#blank">
<font color="#FF3300"><b>ホテルベストリザーブ</b></font></a></td>
【００４８】
図８は本発明の実施の形態１における取引情報収集システムが備える取引情報収集装置１０及び取引情報要求装置３０の取引情報送受信処理を示すフローチャートである。取引情報要求装置３０を操作する管理者は、取引情報要求装置３０を操作して通信網１００に接続させ、取引情報収集装置１０にアクセスさせる。そして収集した取引情報を送信させるべく、取引情報要求装置３０に、取引情報の送信を要求する入力及び自己を特定するＩＤ等の取引情報要求装置情報の入力を行う。
【００４９】
取引情報要求装置３０は、ＣＰＵ３１の制御により、入力手段３４から取引情報の送信を要求する入力及び取引情報要求装置情報の入力を受け付け（Ｓ３０１）、受け付けた入力に基づいて取引情報送信要求及び取引情報要求装置情報を通信手段３６から通信網１００を介して取引情報収集装置１０へ送信する（Ｓ３０２）。
【００５０】
取引情報収集装置１０では、ＲＡＭ１４に記憶させたコンピュータプログラム２００を実行するＣＰＵ１１の制御により、通信手段１７にて取引情報送信要求及び取引情報要求装置情報を受信し（Ｓ３０３）、受信した取引情報要求装置情報に基づいて、取引情報要求の送信元の取引情報要求装置３０に対応付けられている収集条件情報が示す取引情報の条件を、収集条件データベース１０ａから抽出し（Ｓ３０４）、抽出した取引情報の条件に基づいて収集された取引情報を、取引情報データベース１０ｃから抽出し（Ｓ３０５）、抽出した取引情報を、通信手段１７から通信網１００を介して取引情報要求装置３０へ送信する（Ｓ３０６）。
【００５１】
ステップＳ３０５にて行う取引情報の抽出処理は、記録手段１３の取引情報データベース１０ｃから抽出する処理であるので、取引情報公開装置２０にアクセスして収集する処理と比べて短時間で実行することができる。またステップＳ３０５にて抽出した取引情報をそのまま送信するようにしても良いが、予め設定されている形式、例えば複数の取引情報に含まれる宿泊価格及び部屋数等の項目毎の情報を比較が容易となるように並列表記した形式に変換した上で、送信することが望ましい。
【００５２】
取引情報要求装置３０では、ＣＰＵ３１の制御により、通信手段３６にて取引情報を受信し（Ｓ３０７）、受信した取引情報をモニタ及びプリンタ等の出力手段３５から出力する（Ｓ３０８）。
【００５３】
図９は本発明の実施の形態１における取引情報収集システムが備える取引情報要求装置３０から出力される画像を示す説明図である。図９に示すように取引情報要求装置３０から出力される取引情報は、取引情報収集装置１０にて収集した取引情報を所定の形式に配置したウェブページとして出力され、上方に取引情報収集装置１０にて取引情報を収集した日時を示す検索時刻及び収集条件を示す検索条件等の情報が示されており、下方には、取引情報が示されている。取引情報としては、宿泊施設であるαホテル及びβホテルの宿泊価格、残部屋数、及び予約済部屋数等の項目毎の情報が、日付及びウェブページ毎に示されている。
【００５４】
なお出力された画像の元となる取引情報は取引情報要求装置３０が備える記録手段３２に記録され、必要に応じて再度出力させることも可能であり、また図９に示す自社サイト、Ａサイト、Ｂサイト及びＣサイト以外のサイトから取引情報を独自に収集して記録手段３２に記録している取引情報に追加することも可能である。
【００５５】
取引情報要求装置３０の管理者は、出力手段３５から出力された図９に示す取引情報を示す画像から、同業他社であるαホテル及びβホテルの取引情報を確認して、自社の宿泊施設の宿泊価格の再設定等の作業を行うことができる。
【００５６】
前記実施の形態１では、取引情報収集装置１０及び取引情報要求装置３０が異なる装置である形態を示したが、本発明はこれに限らず、宿泊施設にて管理される取引情報要求装置３０に取引情報収集装置１０のコンピュータプログラム２００をモジュールとして組み込むようにしても良く、モジュールとして組み込むことにより、管理者が入力した条件情報に対して自動的に各ウェブページの巡回を行い、取引情報を収集する装置として用いることが可能となる。
【００５７】
実施の形態２．
図１０は本発明の実施の形態２における取引情報収集システムを概念的に示す説明図である。実施の形態２は、パーソナルコンピュータ等の取引情報要求装置３０を、宿泊施設の使用権利の購入、即ち宿泊施設の予約を希望する予約希望者が管理して宿泊施設の使用権利の購入を支援し、宿泊施設に関する情報をウェブページとして公開しているウェブサーバコンピュータを用いた取引情報公開装置２０は、ウェブページにより宿泊施設の使用権利の販売を支援し、そしてウェブサーバコンピュータを用いた取引情報収集装置１０では、ＡＳＰとして、取引情報要求装置３０に対し、取引対象に関する取引情報の収集サービスを提供し、しかも宿泊施設の使用権利の取引の仲介を支援する形態である。
【００５８】
なお実施の形態２に係る取引情報システムが備える各装置の構成及び各データベースの記録内容は実施の形態１と同様であるので、実施の形態１を参照するものとし、その説明を省略する。さらに実施の形態２における収集条件登録処理、取引情報収集処理及び取引情報送受信処理等の各種処理も実施の形態１と同様であるので、実施の形態１を参照するものとし、その説明を省略する。ただし取引情報要求装置３０は、宿泊施設の管理者ではなく宿泊施設の予約を希望する予約希望者により操作される。
【００５９】
また実施の形態２では、取引対象の取引に関する仲介サービスを提供する旅行代理店等の旅行関連業者により取引情報収集装置１０が管理されており、取引情報収集装置１０は、取引情報の収集だけでなく、取引対象の成約を仲介するサービスをも提供している。図１１は本発明の実施の形態２における取引情報収集システムが備える取引情報収集装置１０、取引情報公開装置２０及び取引情報要求装置３０の取引対象予約処理を示すフローチャートである。取引情報送受信処理により受信した取引情報を確認した予約希望者は、出力された取引情報の中で取引を希望する取引対象、即ち宿泊を希望する宿泊施設を指定する入力を行うことにより宿泊施設の使用の予約を行うことができる。
【００６０】
取引情報要求装置３０は、ＣＰＵ３１の制御により、入力手段３４から取引情報を指定して取引を希望する入力を受け付け（Ｓ４０１）、受け付けた入力に基づいて取引情報を指定して取引を希望することを示す取引指定情報を通信手段３６から通信網１００を介して取引情報収集装置１０へ送信する（Ｓ４０２）。
【００６１】
取引情報収集装置１０では、ＲＡＭ１４に記憶させたコンピュータプログラム２００を実行するＣＰＵ１１の制御により、通信手段１７にて取引指定情報を受信し（Ｓ４０３）
、受信した取引指定情報により指定されている取引対象の取引を受け付ける取引情報公開装置２０のＵＲＬを取引情報公開装置データベース１０ｂ及び取引情報収集装置１０から抽出し（Ｓ４０４）、更に取引情報指定情報の送信元である取引情報要求装置３０に関する情報、即ち予約に必要な予約希望者の個人情報を収集条件データベース１０ａから抽出する（Ｓ４０５）。そしてステップＳ４０４にて抽出したＵＲＬにて示される取引情報収集装置へ、ステップＳ４０５にて抽出した取引情報要求装置３０に関する情報を含む取引要求情報を通信手段１７から通信網１００を介して取引情報公開装置２０へ送信する（Ｓ４０６）。
【００６２】
取引情報公開装置２０では、ＣＰＵ２１の制御により、通信手段２４にて取引要求情報を受信し（Ｓ４０７）、受信した取引要求情報に含まれる取引要求情報に基づいて取引を成約させる取引成約処理を実行する（Ｓ４０８）。このようにして実施の形態２に係る取引情報収集システムでは、取引情報の収集だけでなく、取引情報の取引仲介処理をも行う。
【００６３】
前記実施の形態２では、取引情報収集装置１０及び取引情報要求装置３０が異なる装置である形態を示したが、本発明はこれに限らず、予約希望者が管理する取引情報要求装置３０に取引情報収集装置１０のコンピュータプログラム２００をモジュールとして組み込むようにしても良く、モジュールとして組み込むことにより、予約希望者が入力した条件情報に対して自動的に各ウェブページの巡回を行い、取引情報を収集する装置として用いることが可能となる。
【００６４】
さらに前記実施の形態１及び実施の形態２では、取引対象が、宿泊施設の使用の予約でる形態を示したが、本発明はこれに限らず、レンタカーの使用の予約及び航空機の搭乗券の予約等の旅行関係の予約の他、様々な取引対象の取引に対して適用することが可能である。
【図面の簡単な説明】
【００６５】
【図１】本発明の実施の形態１における取引情報収集システムを概念的に示す説明図である。
【図２】本発明の実施の形態１における取引情報収集システムの構成を示すブロック図である。
【図３】本発明の実施の形態１における取引情報収集装置が備える収集条件データベースの記録内容を概念的に示す説明図である。
【図４】本発明の実施の形態１における取引情報収集装置が備える取引情報公開装置データベースの記録内容を概念的に示す説明図である。
【図５】本発明の実施の形態１における取引情報収集装置が備える取引情報データベースの記録内容を概念的に示す説明図である。
【図６】本発明の実施の形態１における取引情報収集システムが備える取引情報収集装置及び取引情報要求装置の収集条件登録処理を示すフローチャートである。
【図７】本発明の実施の形態１における取引情報収集システムが備える取引情報収集装置の取引情報収集処理を示すフローチャートである。
【図８】本発明の実施の形態１における取引情報収集システムが備える取引情報収集装置及び取引情報要求装置の取引情報送受信処理を示すフローチャートである。
【図９】本発明の実施の形態１における取引情報収集システムが備える取引情報要求装置から出力される画像を示す説明図である。
【図１０】本発明の実施の形態２における取引情報収集システムを概念的に示す説明図である。
【図１１】本発明の実施の形態２における取引情報収集システムが備える取引情報収集装置、取引情報公開装置及び取引情報要求装置の取引対象予約処理を示すフローチャートである。
【符号の説明】
【００６６】
１０  取引情報収集装置
１０ａ  収集条件データベース
１０ｂ  取引情報公開装置データベース
１０ｃ  取引情報データベース
２０  取引情報公開装置
３０  取引情報要求装置
１００  通信網
２００  コンピュータプログラム
３００  記録媒体
【図１】
2005078225.tif 000003
【図２】
2005078225.tif 000004
【図３】
2005078225.tif 000005
【図４】
2005078225.tif 000006
【図５】
2005078225.tif 000007
【図６】
2005078225.tif 000008
【図７】
2005078225.tif 000009
【図８】
2005078225.tif 000010
【図９】
2005078225.tif 000011
【図１０】
2005078225.tif 000012
【図１１】
2005078225.tif 000013